(57)【特許請求の範囲】
【請求項１】
下記一般式（ａ１）で表される化合物（Ａ）とシリコーン（Ｂ）とを含有し、前記（Ａ）成分／前記（Ｂ）成分で表される質量比が２０〜３０であることを特徴とする液体洗浄剤。
【化１】
0005982170.tif 000007
［式中、Ｒ１は炭素数８〜２２の炭化水素基である。Ａ１Ｏ及びＡ２Ｏはそれぞれ独立に炭素数２〜４のオキシアルキレン基である。ｐはＡ１Ｏの平均繰返し数、ｑはＡ２Ｏの平均繰返し数を表し、ｐ＋ｑは１０以上６０未満の数である。］
【発明の詳細な説明】
【技術分野】
【０００１】
本発明は、液体洗浄剤に関する。
【背景技術】
【０００２】
昨今の生活スタイルの変化に伴い、夜に洗濯を行い、洗濯された衣類等（被洗物）を室内で乾かすという部屋干しを行う家庭が増加している。部屋干しは、風通しが悪いために被洗物が乾きにくく、特に冬場は気温が低いことからより乾きにくい。従来、部屋干しを行う場合であっても、なるべく短時間のうちに被洗物を乾燥させたいという要求がある。
これに対して、被洗物が乾きやすくなる速乾性能を発現する柔軟剤又は仕上げ剤がこれまでに提案されている（たとえば特許文献１参照）。
【先行技術文献】
【特許文献】
【０００３】
【特許文献１】国際公開第２００４／０２５０１７号
【発明の概要】
【発明が解決しようとする課題】
【０００４】
しかしながら、柔軟剤又は仕上げ剤を必ずしも必要としない被洗物もある。
洗浄剤を用いて洗濯を行う際、柔軟剤又は仕上げ剤を用いずに、被洗物の速乾性を高くするには、脱水後の被洗物の含水率を低くすることが考えられる。被洗物の含水率を低くするため、脱水を長時間行うと、被洗物が傷むおそれがある。
本発明は上記事情に鑑みてなされたものであり、洗浄性能を維持しつつ速乾性能に優れた液体洗浄剤を提供することを課題とする。
【課題を解決するための手段】
【０００５】
本発明者らは鋭意検討した結果、上記課題を解決するために以下の手段を提供する。
即ち、本発明の液体洗浄剤は、下記一般式（ａ１）で表される化合物（Ａ）とシリコーン（Ｂ）とを含有することを特徴とする。
【０００６】
【化１】
0005982170.tif 000002
［式中、Ｒ１は炭素数８〜２２の炭化水素基である。Ａ１Ｏ及びＡ２Ｏはそれぞれ独立に炭素数２〜４のオキシアルキレン基である。ｐはＡ１Ｏの平均繰返し数、ｑはＡ２Ｏの平均繰返し数を表し、ｐ＋ｑは１０以上６０未満の数である。］
【０００７】
本発明の液体洗浄剤においては、（Ａ）成分／（Ｂ）成分で表される質量比が２以上であることが好ましい。
【発明の効果】
【０００８】
本発明によれば、洗浄性能を維持しつつ速乾性能に優れた液体洗浄剤を提供できる。
【発明を実施するための形態】
【０００９】
＜液体洗浄剤＞
本発明の液体洗浄剤は、一般式（ａ１）で表される化合物（Ａ）とシリコーン（Ｂ）とを含有する。
本発明においては、これらの成分をそれぞれ（Ａ）成分、（Ｂ）成分ともいう。
本発明の液体洗浄剤は、家庭用、商業用、工業用の用途として利用可能であり、なかでも家庭用として好適に利用可能であり、衣料用の液体洗浄剤として特に好適である。衣料用の濃縮タイプ（界面活性剤濃度の高い組成）の液体洗浄剤としても用いることができる。
被洗物の種類は、家庭における洗濯で洗浄対象とされているものと同様のものが挙げられ、たとえば衣類、布巾、タオル類、シーツ、カーテン等の繊維製品等が例示される。
【００１０】
（一般式（ａ１）で表される化合物（Ａ））
本発明の液体洗浄剤において、（Ａ）成分は、主として洗浄力を付与するために用いられる。
前記式（ａ１）中、Ｒ１は炭素数８〜２２の炭化水素基である。
Ｒ１の炭素数は８〜２２であり、１０〜２２が好ましく、１２〜２０がより好ましく、１２〜１８がさらに好ましく、１２〜１６が特に好ましい。
Ｒ１の炭素数が８以上であることにより、再汚染防止効果が高まり、洗浄力が向上する。一方、Ｒ１の炭素数が２２以下であることにより、水への溶解性が向上する。Ｒ１の炭素数は１２以上であることが特に再汚染防止効果の点から好ましく、２０以下であることが水への溶解性の点から好ましい。
Ｒ１における炭化水素基は、脂肪族炭化水素基であることが好ましく、そのなかでも、直鎖状もしくは分岐鎖状のアルキル基、直鎖状もしくは分岐鎖状のアルケニル基が好ましく、直鎖状もしくは分岐鎖状のアルキル基がより好ましい。
【００１１】
前記式（ａ１）中、Ａ１Ｏ及びＡ２Ｏは、それぞれ独立に、炭素数２〜４のオキシアルキレン基であり、オキシエチレン基、オキシプロピレン基が好ましい。Ａ１ＯとＡ２Ｏとは、相互に同じであっても異なっていてもよい。
前記式（ａ１）中、ｐはＡ１Ｏの平均繰返し数、ｑはＡ２Ｏの平均繰返し数を表し、ｐ及びｑはそれぞれ独立に０以上の数である。ｐ＋ｑは１０以上６０未満の数である。ｐ＋ｑが１０未満であると、洗浄効果が得られにくくなる。一方、ｐ＋ｑが６０以上であると、（Ａ）成分自体の分子量の増加に伴い、同じ配合量では組成物中の（Ａ）成分のモル数が減少するために洗浄効果が低下しやすくなる。なかでも、ｐ＋ｑは、洗浄力と再汚染防止効果がより高まることから、好ましくは１５以上４０以下であり、より好ましくは１５以上３５以下である。
【００１２】
（Ａ１Ｏ）ｐは、オキシエチレン基のみの繰返し構造でもよく、オキシプロピレン基のみの繰返し構造でもよく、オキシブチレン基のみの繰返し構造でもよく、これらのオキシアルキレン基の２以上が混在している構造でもよい。なかでも、オキシエチレン基のみの繰返し構造、オキシエチレン基とオキシプロピレン基とが混在している構造が好ましく、オキシエチレン基のみの繰返し構造がより好ましい。
オキシエチレン基とオキシプロピレン基とが混在している構造の場合、オキシエチレン基とオキシプロピレン基とがランダム状に繰り返されていてもよく、ブロック状に繰り返されていてもよい。この場合、（Ａ）成分中のオキシエチレン基の総量が（Ａ）成分中の全オキシアルキレン基の総質量に対して６０質量％以上であることが、水への溶解性の点から好ましい。
（Ａ２Ｏ）ｑは、前記（Ａ１Ｏ）ｐと同様である。
【００１３】
（Ａ）成分としては、ポリオキシエチレン（２０）ヘキサデシルアミン（Ｒ１＝炭素数１６のアルキル基、オキシエチレン基の平均繰返し数２０、ｐ＋ｑ＝２０）、ポリオキシエチレン（１５）牛脂アルキルアミン（Ｒ１＝炭素数１４〜１８のアルキル基、オキシエチレン基の平均繰返し数１５、ｐ＋ｑ＝１５）、ポリオキシエチレン（５０）オクタデシルアミン（Ｒ１＝炭素数１８のアルキル基、オキシエチレン基の平均繰返し数５０、ｐ＋ｑ＝５０）、ポリオキシエチレン（４２）ポリオキシプロピレン（１２）ヘキサデシルアミン（Ｒ１＝炭素数１６のアルキル基、オキシエチレン基の平均繰返し数４２、オキシプロピレン基の平均繰返し数１２、ｐ＋ｑ＝５４に相当）、ポリオキシエチレン（２８）ポリオキシプロピレン（８）アルキルアミン（Ｒ１＝炭素数１２〜１４のアルキル基、オキシエチレン基の平均繰返し数２８、オキシプロピレン基の平均繰返し数８、ｐ＋ｑ＝３６に相当）等が好適である。
【００１４】
（Ａ）成分は、１種を単独で用いてもよく、２種以上を併用してもよい。
液体洗浄剤中、（Ａ）成分の含有量は、液体洗浄剤の総質量に対して１０質量％以上が好ましく、より好ましくは１０〜５０質量％であり、さらに好ましくは１５〜４５質量％である。
（Ａ）成分の含有量が１０質量％以上であることにより、再汚染防止効果が高まり、洗浄力が向上する。一方、５０質量％以下であることにより、液体洗浄剤の液外観（流動性、透明均一性）の安定化を図りやすい。
【００１５】
（Ａ）成分の市販品としては、たとえば、ライオン・アクゾ（株）製の商品名「ＥＴＨＯＭＥＥＮ（エソミン）Ｔ／２５」（Ｒ１＝炭素数１４〜１８のアルキル基（牛脂由来）、オキシエチレン基の平均繰返し数１５、ｐ＋ｑ＝１５）、ライオン・アクゾ（株）製の商品名「ＥＴＨＯＭＥＥＮ（エソミン）ＳＡ２Ｙ−１０３」（Ｒ１＝炭素数１８のアルキル基、オキシエチレン基の平均繰返し数５０、ｐ＋ｑ＝５０）等が挙げられる。
【００１６】
（シリコーン（Ｂ））
本発明の液体洗浄剤においては、（Ｂ）成分を（Ａ）成分と組み合わせて用いることにより、洗浄効果に加えて、被洗物が乾きやすくなる速乾性付与効果が発現する。加えて、（Ｂ）成分を含有することにより、被洗物に対する柔軟性付与効果が得られる。特にアクリル繊維やポリエステル繊維等の化学繊維を含む被洗物に対する、速乾性付与効果及び柔軟性付与効果が高まる。
（Ｂ）成分としては、変性シリコーン又は未変性シリコーンのいずれも用いることができる。具体的には、未変性ジメチルシリコーン；アミノ変性シリコーン、カルボキシ変性シリコーン、ポリエーテル変性シリコーン又はこれらの複数種の変性が施されたシリコーン等の変性シリコーンが挙げられる。
なかでも、液体洗浄剤中での分散安定性の点から、変性シリコーンが好ましく、アミノ変性シリコーン、ポリエーテル変性シリコーンがより好ましい。被洗物に対して高吸着性を有する点では、アミノ変性シリコーンが特に好ましい。
【００１７】
アミノ変性シリコーンは、ジメチルシリコーン骨格の両末端又は側鎖にアミノ基を導入したシリコーンであり、特に制限なく商業的に入手できるものを使用できる。具体的な市販品としては、東レ・ダウコーニング株式会社製のＢＹ１６−８７１、ＢＹ１６−８５３Ｕ、ＦＺ−３７０５、ＳＦ８４１７、ＢＹ１６−８４９、ＦＺ−３７８５、ＢＹ１６−８９０、ＢＹ１６−２０８、ＢＹ１６−８９３、ＦＺ−３７８９、ＢＹ１６−８７８、ＢＹ１６−８９１等が挙げられる。
【００１８】
カルボキシ変性シリコーンとしては、官能基としてカルボキシ基を有するシリコーンであり、特に制限なく商業的に入手できるものを使用できる。また、カルボキシ基に加えて他の官能基を有するものでもよい。具体的な市販品としては、東レ・ダウコーニング株式会社製のＢＹ１６−８８０等が挙げられる。
【００１９】
ポリエーテル変性シリコーンは、官能基としてポリエチレンオキシドやポリプロピレンオキシド等のポリエーテル基を有するシリコーンであり、特に制限なく商業的に入手できるものを使用できる。また、ポリエーテル基に加えて他の官能基を有するものでもよい。
ポリエーテル変性シリコーンのなかで好適なものとしては、下記一般式（ｂ１）で表されるシリコーンが挙げられる。
【００２０】
【化２】
0005982170.tif 000003
［式中、Ｒ２は水素原子又は炭素数１〜４のアルキレン基である。Ｒ３は炭素数１〜４のアルキル基、炭素数２〜４のアルケニル基又は水素原子である。Ｙはポリオキシアルキレン基を示す。ｓ、ｔは繰返し単位の繰返し数を示し、ｓは１０〜１００００の整数、ｔは１〜１０００の整数である。］
【００２１】
前記一般式（ｂ１）中、Ｒ２は、水素原子又は炭素数１〜４のアルキレン基である。
Ｒ２におけるアルキレン基は、直鎖状であっても分岐鎖状であってもよい。該アルキレン基の炭素数が前記範囲内にあれば、工業的に合成しやすい。
Ｒ３は、炭素数１〜４のアルキル基、炭素数２〜４のアルケニル基又は水素原子である。Ｒ３におけるアルキル基、アルケニル基は、それぞれ、直鎖状であっても分岐鎖状であってもよい。該アルキル基の炭素数、該アルケニル基の炭素数がそれぞれ前記範囲内であれば、（Ｂ）成分の流動性が高まり、取り扱いが容易となる。
【００２２】
Ｙはポリオキシアルキレン基を示す。Ｙとしては、ポリオキシエチレン基、ポリオキシプロピレン基、ポリオキシブチレン基等、又はこれらの２種以上の繰り返し構造からなる基が挙げられる。
【００２３】
ｓ、ｔは、それぞれ、繰返し単位の繰返し数を示す。ｓ、ｔが付された各繰返し単位の順序は異なっていてもよい。
ｓは１０〜１００００の整数であり、５０〜１０００が好ましい。ｔは１〜１０００の整数であり、２〜５０が好ましい。ｓ及びｔが前記範囲内であれば、速乾性付与効果が向上する。
【００２４】
ポリエーテル変性シリコーンの具体的な市販品としては、東レ・ダウコーニング株式会社製のＳＨ３７７２Ｍ、ＳＨ３７７５Ｍ、ＳＨ３７４９、ＳＦ８４１０、ＳＨ８７００、ＢＹ２２−００８、ＳＦ８４２１、ＳＩＬＷＥＴ  Ｌ−７００１、ＳＩＬＷＥＴ  Ｌ−７００２、ＳＩＬＷＥＴ  Ｌ−７６０２、ＳＩＬＷＥＴ  Ｌ−７６０４、ＳＩＬＷＥＴ  ＦＺ−２１０４、ＳＩＬＷＥＴ  ＦＺ−２１６４、ＳＩＬＷＥＴ  ＦＺ−２１７１、ＡＢＮ  ＳＩＬＷＥＴ  ＦＺ−Ｆ１−００９、ＡＢＮ  ＳＩＬＷＥＴ  ＦＺ−Ｆ１−００９−０５、ＡＢＮ  ＳＩＬＷＥＴ  ＦＺ−Ｆ１−００９−０９、ＡＢＮ  ＳＩＬＷＥＴ  ＦＺ−Ｆ１−００９−５４、ＡＢＮ  ＳＩＬＷＥＴ  ＦＺ−２２２２；信越化学工業株式会社製のＫＦ３５２Ａ、ＫＦ６００８、ＫＦ６１５Ａ、ＫＦ６０１６、ＫＦ６０１７；ＧＥ東芝シリコーン株式会社製のＴＳＦ４４５０、ＴＳＦ４４５２等が挙げられる。
【００２５】
（Ｂ）成分は、１種を単独で用いてもよく、２種以上を併用してもよい。
液体洗浄剤中、（Ｂ）成分の含有量は、液体洗浄剤の総質量に対して０．１〜５質量％が好ましく、より好ましくは０．１〜４質量％であり、さらに好ましくは０．１〜３質量％であり、特に好ましくは０．２〜２質量％である。
（Ｂ）成分の含有量が０．１質量％以上であることにより、速乾性付与効果が発現しやすくなる。また、被洗物（特に化学繊維）に対する柔軟性付与効果がより向上する。一方、５質量％を超えても、それに見合う速乾性の向上効果は見られず、経済的にも不利となる。一方、５質量％以下であれば、分散安定性がより向上する。加えて、洗浄力がより高まる。
【００２６】
本発明において「（Ａ）成分／（Ｂ）成分で表される質量比」とは、液体洗浄剤中の（Ｂ）成分の含有量に対する、（Ａ）成分の含有量の割合（質量比）を表す。
本発明の液体洗浄剤中、（Ａ）成分と（Ｂ）成分との混合比率（質量比）は、（Ａ）成分／（Ｂ）成分で表される質量比で２以上であることが好ましい。この質量比が２以上であれば、速乾性付与効果と洗浄力がいずれもより高まる。さらに、この質量比は５〜５００であることが好ましく、９〜２００であることがより好ましく、１０〜１３０であることがさらに好ましく、１５〜５０であることが特に好ましく、２０〜３０であることが最も好ましい。
該質量比が好ましい下限値以上であれば、洗浄力がより高まる。一方、該質量比が好ましい上限値以下であれば、速乾性付与効果がより高まる。
【００２７】
（溶媒：水）
本発明の液体洗浄剤は、液体洗浄剤の調製しやすさ、使用する際の水への溶解性等の観点から、溶媒として水を含有することが好ましい。
液体洗浄剤中、水の含有量は、液体洗浄剤の総質量に対して２０〜８０質量％が好ましく、４０〜７５質量％がより好ましい。
水の含有量が好ましい下限値以上であると、経時に伴う液体洗浄剤の液安定性がより良好となり、一方、好ましい上限値以下であれば、液粘度が適度に低くなり、使用性の観点から良好である。
【００２８】
（その他の成分）
本発明の液体洗浄剤には、本発明の効果を損なわない範囲で必要に応じて、上述した（Ａ）成分及び（Ｂ）成分以外のその他の成分を配合してもよい。
その他の成分としては、特に限定されず、衣料用などの液体洗浄剤に通常用いられる成分を配合することができ、具体的には以下に示すものが挙げられる。
【００２９】
本発明の液体洗浄剤は、前記（Ａ）成分以外の界面活性剤を含有してもよい。
該界面活性剤としては、陰イオン界面活性剤、（Ａ）成分以外の非イオン界面活性剤、陽イオン性界面活性剤、両性界面活性剤等が挙げられる。
（Ａ）成分以外の界面活性剤を含有する場合、（Ａ）成分以外の界面活性剤を、たとえば液体洗浄剤の総質量に対して、好ましくは４０質量％以下、より好ましくは３〜２０質量％含むことができる。
【００３０】
陰イオン界面活性剤としては、スルホ脂肪酸アルキルエステル塩、高級脂肪酸塩、直鎖アルキルベンゼンスルホン酸塩、α−オレフィンスルホン酸塩、直鎖状もしくは分岐鎖状のアルキル硫酸エステル塩、アルキルエーテル硫酸エステル塩もしくはアルケニルエーテル硫酸エステル塩、アルキル基を有するアルカンスルホン酸塩；アルキルエーテルカルボン酸塩、ポリオキシアルキレンエーテルカルボン酸塩、アルキルアミドエーテルカルボン酸塩もしくはアルケニルアミドエーテルカルボン酸塩、アシルアミノカルボン酸塩等のカルボン酸型のもの；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型のもの等が挙げられる。
これらの塩の形態としては、ナトリウム、カリウムなどのアルカリ金属塩、マグネシウムなどのアルカリ土類金属塩、モノエタノールアミン、ジエタノールアミンなどのアルカノールアミン塩等が挙げられる。
【００３１】
（Ａ）成分以外の非イオン界面活性剤としては、脂肪酸アルキルエステル、高級アルコール、アルキルフェノール、高級脂肪酸、高級脂肪酸アルキルエステル又は高級アミン等のアルキレンオキシド付加体；ポリオキシエチレンポリオキシプロピレンブロックコポリマー、脂肪酸アルカノールアミン、脂肪酸アルカノールアミド、多価アルコール脂肪酸エステル又はそのアルキレンオキシド付加体、多価アルコール脂肪酸エーテル、アルキルアミンオキシド、アルケニルアミンオキシド、硬化ヒマシ油のアルキレンオキシド付加体、糖脂肪酸エステル、Ｎ−アルキルポリヒドロキシ脂肪酸アミド、アルキルグルコシド等が挙げられる。
なかでも、脂肪酸アルキルエステル（好ましくは脂肪酸メチルエステル）、高級アルコールのアルキレンオキシド付加体が好ましい。該非イオン界面活性剤におけるアルキル基の炭素数は８〜２０が好ましく、より好ましくは１０〜１４である。また、エチレンオキシド付加体であることが好ましく、繊維に対する浸透力が高く、洗浄力が高まることから、その平均付加モル数は３〜８であることがより好ましい。
（Ａ）成分と（Ａ）成分以外の非イオン界面活性剤との合計の含有量は、液体洗浄剤の総質量に対して１０〜５０質量％が好ましい。
【００３２】
また、非イオン界面活性剤を用いる場合、非イオン界面活性剤と（Ａ）成分との混合比率（質量比）は、非イオン界面活性剤／（Ａ）成分で表される質量比が２以下であることが好ましく、０．１〜１．３であることがより好ましい。
該質量比が好ましい下限値以上であれば、特に皮脂汚れ等に対する洗浄力がより高まる。一方、該質量比が好ましい上限値以下であれば、速乾性付与効果が得られやすい。
非イオン界面活性剤と（Ｂ）成分との混合比率（質量比）は、非イオン界面活性剤／（Ｂ）成分で表される質量比が２０以下であることが好ましく、１．５〜１０であることがより好ましい。
該質量比が好ましい下限値以上であれば、特に皮脂汚れ等に対する洗浄力がより高まる。一方、該質量比が好ましい上限値以下であれば、速乾性付与効果が得られやすい。
ここで「非イオン界面活性剤／（Ａ）成分で表される質量比」又は「非イオン界面活性剤／（Ｂ）成分で表される質量比」とは、液体洗浄剤中の（Ａ）成分又は（Ｂ）成分の含有量に対する、非イオン界面活性剤の含有量の割合（質量比）をそれぞれ表す。
【００３３】
陽イオン界面活性剤としては、アルキルトリメチルアンモニウム塩、ジアルキルジメチルアンモニウム塩、アルキルベンジルジメチルアンモニウム塩、アルキルピリジニウム塩等が挙げられる。また、ラウリルジメチルアミン、ミリスチルジメチルアミン、ヤシアルキルジメチルアミン、パルミチルジメチルアミン、牛脂アルキルジメチルアミン、硬化牛脂アルキルジメチルアミン、ステアリルジメチルアミン、ステアリルジエタノールアミン等の３級アミンも挙げられる。
両性界面活性剤としては、アルキルベタイン型、アルキルアミドベタイン型、イミダゾリン型、アルキルアミノスルホン型、アルキルアミノカルボン酸型、アルキルアミドカルボン酸型、アミドアミノ酸型又はリン酸型の両性界面活性剤等が挙げられる。
【００３４】
また、本発明の液体洗浄剤は、水混和性有機溶媒を含有してもよい。水混和性有機溶媒をさらに含有することにより、液体洗浄剤の液外観（流動性、透明均一性）がより安定に維持される。
本発明において「水混和性有機溶媒」とは、２５℃のイオン交換水１Ｌに５０ｇ以上溶解する有機溶媒をいう。
水混和性有機溶媒としては、水と混合した際に均一な溶液となるものであればよく、そのなかでも、炭素数２〜４の一価アルコール、炭素数２〜４の多価アルコール及び下記一般式（Ｉ）で表される化合物（グリコールエーテル系溶媒）からなる群から選択される少なくとも一種を用いることが好ましい。
炭素数２〜４の１価アルコールとしては、エタノール、１−プロパノール、２−プロパノール、１−ブタノール等が挙げられる。
炭素数２〜４の多価アルコールとしては、エチレングリコール、プロピレングリコール、ブチレングリコール、グリセリン等が挙げられる。
【００３５】
Ｒ４−（ＯＲ５）ｒＯＨ    ・・・（Ｉ）
［式中、Ｒ４は炭素数１〜６のアルキル基又はフェニル基である。ＯＲ５は炭素数２〜４のオキシアルキレン基である。ｒはＯＲ５の平均繰返し数を表し、１〜５である。］
前記式（Ｉ）中、ｒは１〜５であり、１〜３が好ましく、１又は２がより好ましい。
ＯＲ５は、前記式（ａ１）におけるＡ１Ｏ、Ａ２Ｏと同様である。
前記式（Ｉ）で表されるグリコールエーテル系溶媒としては、エチレングリコールモノブチルエーテル、エチレングリコールモノヘキシルエーテル、エチレングリコールモノフェニルエーテル、プロピレングリコールモノフェニルエーテル、ジエチレングリコールモノメチルエーテル、ジエチレングリコールモノブチルエーテル等が挙げられる。
【００３６】
これらのなかでも、水混和性有機溶媒としては、液体洗浄剤としての流動性を確保しやすい点、又は、臭気の穏やかな点や原料の入手のしやすさから、エタノール、プロピレングリコール、ジエチレングリコールモノブチルエーテルが好ましい。
【００３７】
水混和性有機溶媒は、１種を単独で用いてもよく、２種以上を併用してもよい。
液体洗浄剤中、水混和性有機溶媒の含有量は、液体洗浄剤の総質量に対して０．１〜２０質量％が好ましく、より好ましくは２〜１５質量％であり、さらに好ましくは５〜１０質量％である。
水混和性有機溶媒の含有量が好ましい下限値以上であると、液体洗浄剤の液外観（流動性、透明均一性）がより安定に維持されやすい。一方、好ましい上限値以下であれば、（Ａ）成分と（Ｂ）成分との配合バランスをとりやすい。
【００３８】
また、本発明の液体洗浄剤は、トリエチレングリコール、テトラエチレングリコール、平均分子量約２００〜５０００のポリエチレングリコールなどのグリコール類；パラトルエンスルホン酸又はその塩、クメンスルホン酸又はその塩、安息香酸又はその塩（防腐剤としての効果もある）、尿素等の減粘剤及び可溶化剤を、たとえば液体洗浄剤の総質量に対して０．０１〜１５質量％含むことができる。
また、マロン酸、コハク酸、リンゴ酸、ジグリコール酸、酒石酸、クエン酸等の金属イオン捕捉剤を、たとえば０．１〜２０質量％含むことができる。
また、ブチルヒドロキシトルエン、ジスチレン化クレゾール、亜硫酸ナトリウム、亜硫酸水素ナトリウム等の酸化防止剤を、たとえば０．０１〜２質量％含むことができる。
また、ローム・アンド・ハース社製のケーソンＣＧ（商品名）等の防腐剤を、たとえば液体洗浄剤の総質量に対して０．００１〜１質量％含むことができる。
【００３９】
また、本発明の液体洗浄剤は、洗浄力向上や経時安定性向上等を目的として、モノエタノールアミン、ジエタノールアミン、トリエタノールアミン、Ｎ−メチル−ジエタノールアミン、Ｎ，Ｎ−ジメチルモノエタノールアミン等のアルカノールアミン等のアルカリビルダー；ハイドロトロープ剤、蛍光剤、酵素、移染防止剤、再汚染防止剤（ポリビニルピロリドン、カルボキシメチルセルロースなど）、パール剤、ソイルリリース剤等を含むことができる。
【００４０】
また、本発明の液体洗浄剤は、従来、衣料用洗浄剤等に配合されている酵素を使用できる。この酵素としては、たとえば、プロテアーゼ、アミラーゼ、リパーゼ、セルラーゼ、マンナナーゼ等が挙げられる。
プロテアーゼの具体例としては、プロテアーゼ製剤としてノボザイムズ社から入手できる商品名Ｓａｖｉｎａｓｅ１６Ｌ、Ｓａｖｉｎａｓｅ  Ｕｌｔｒａ  １６Ｌ、Ｓａｖｉｎａｓｅ  Ｕｌｔｒａ  １６ＸＬ，Ｅｖｅｒｌａｓｅ  １６Ｌ  ＴｙｐｅＥＸ、Ｅｖｅｒｌａｓｅ  Ｕｌｔｒａ  １６Ｌ、Ｅｓｐｅｒａｓｅ  ８Ｌ、Ａｌｃａｌａｓｅ  ２．５Ｌ、Ａｌｃａｌａｓｅ  Ｕｌｔｒａ  ２．５Ｌ、Ｌｉｑｕａｎａｓｅ  ２．５Ｌ、Ｌｉｑｕａｎａｓｅ  Ｕｌｔｒａ  ２．５Ｌ、Ｌｉｑｕａｎａｓｅ  Ｕｌｔｒａ  ２．５ＸＬ、Ｃｏｒｏｎａｓｅ  ４８Ｌ；ジェネンコア社から入手できる商品名Ｐｕｒａｆｅｃｔ  Ｌ、Ｐｕｒａｆｅｃｔ  ＯＸ、Ｐｒｏｐｅｒａｓｅ  Ｌ等が挙げられる。
アミラーゼの具体例としては、アミラーゼ製剤としてノボザイムズ社から入手できる商品名Ｔｅｒｍａｍｙｌ  ３００Ｌ、Ｔｅｒｍａｍｙｌ  Ｕｌｔｒａ  ３００Ｌ、Ｄｕｒａｍｙｌ  ３００Ｌ、Ｓｔａｉｎｚｙｍｅ  １２Ｌ、Ｓｔａｉｎｚｙｍｅ  Ｐｌｕｓ  １２Ｌ；ジェネンコア社から入手できる商品名Ｍａｘａｍｙｌ、天野製薬社から入手できる商品名プルラナーゼアマノ、生化学工業社から入手できる商品名ＤＢ−２５０等が挙げられる。
リパーゼの具体例としては、リパーゼ製剤としてノボザイムズ社から入手できる商品名Ｌｉｐｅｘ  １００Ｌ、Ｌｉｐｏｌａｓｅ  １００Ｌ等が挙げられる。
セルラーゼの具体例としては、セルラーゼ製剤としてノボザイムズ社から入手できる商品名Ｅｎｄｏｌａｓｅ  ５０００Ｌ、Ｃｅｌｌｕｚｙｍｅ  ０．４Ｌ、Ｃａｒｚｙｍｅ  ４５００Ｌ等が挙げられる。
マンナナーゼの具体例としては、マンナナーゼ製剤としてノボザイムズ社から入手できる商品名Ｍａｎｎａｗａｙ  ４Ｌ等が挙げられる。
これらの酵素は、１種を単独で用いてもよく、２種以上を併用してもよい。該酵素は、たとえば液体洗浄剤の総質量に対して０．１〜３質量％含むことができる。
【００４１】
本発明の液体洗浄剤は、商品の付加価値向上等を目的として、着香剤、着色剤、乳濁化剤、天然物などのエキス等も含むことができる。
【００４２】
着香剤としては、特開２００２−１４６３９９号公報又は特開２００９−１０８２４８号公報に記載の香料組成物など挙げられる。着香剤は、たとえば液体洗浄剤の総質量に対して０．１〜３質量％含むことができる。
着色剤としては、アシッドレッド１３８、Ｐｏｌａｒ  Ｒｅｄ  ＲＬＳ、アシッドイエロー２０３、アシッドブルー９、青色１号、青色２０５号、緑色３号、ターコイズＰ−ＧＲ（いずれも商品名）等の汎用の色素や顔料を、たとえば液体洗浄剤の総質量に対して０．００００５〜０．００５質量％程度含むことができる。
乳濁化剤としては、ポリスチレンエマルション、ポリ酢酸ビニルエマルジョン等が挙げられる。乳濁化剤は、液体洗浄剤の総質量に対して通常、固形分３０〜５０質量％のエマルションが好適に用いられる。乳濁化剤の具体例としては、ポリスチレンエマルション（サイデン化学社製の商品名サイビノールＲＰＸ−１９６  ＰＥ−３、固形分４０質量％）等を、液体洗浄剤の総質量に対して０．０１〜０．５質量％含むことができる。
【００４３】
天然物などのエキスとしては、イヌエンジュ、ウワウルシ、エキナセア、コガネバナ、キハダ、オウレン、オールスパイス、オレガノ、エンジュ、カミツレ、スイカズラ、クララ、ケイガイ、ケイ、ゲッケイジュ、ホオノキ、ゴボウ、コンフリー、ジャショウ、ワレモコウ、シャクヤク、ショウガ、セイタカアワダチソウ、セイヨウニワトコ、セージ、ヤドリギ、ホソバオケラ、タイム、ハナスゲ、チョウジ、ウンシュウミカン、ティーツリー、バーベリー、ドクダミ、ナンテン、ニュウコウ、ヨロイグサ、シロガヤ、ボウフウ、オランダヒユ、ホップ、ホンシタン、マウンテングレープ、ムラサキタガヤサン、セイヨウヤマハッカ、ヒオウギ、ヤマジソ、ユーカリ、ラベンダー、ローズ、ローズマリー、バラン、スギ、ギレアドバルサムノキ、ハクセン、ホウキギ、ミチヤナギ、ジンギョウ、フウ、ツリガネニンジン、ヤマビシ、ヤブガラシ、カンゾウ、セイヨウオトギリソウなどの植物のエキスが挙げられる。これらのエキスは、たとえば液体洗浄剤の総質量に対して０．０００１〜０．５質量％程度含むことができる。
【００４４】
本発明の液体洗浄剤は、２５℃でのｐＨが４〜９であることが好ましく、４〜８であることがより好ましい。該ｐＨが４〜９であることにより、特に、液体洗浄剤を長期間保存しても、経時安定性を良好に保つことができる。
液体洗浄剤のｐＨは、ｐＨ調整剤により調整できる。ｐＨ調整剤としては、塩酸、硫酸、リン酸等の無機酸；多価カルボン酸類、ヒドロキシカルボン酸類等の有機酸；水酸化ナトリウム、水酸化カリウム、アルカノールアミン、アンモニア等が挙げられる。これらのなかでも、液体洗浄剤の経時安定性の面から、硫酸、水酸化ナトリウム、水酸化カリウム、アルカノールアミンが好ましく、硫酸、水酸化ナトリウムが好ましい。
ｐＨ調整剤は、１種を単独で用いてもよく、２種以上を併用してもよい。
液体洗浄剤のｐＨは、たとえば、一定量の硫酸、水酸化ナトリウム等を添加し、その後、ｐＨの微調整用として無機酸（好ましくは塩酸、硫酸）又は水酸化カリウム等をさらに添加することにより調整できる。
本明細書において、液体洗浄剤（２５℃に調温）のｐＨは、ｐＨメータ（製品名：ＨＭ−３０Ｇ、東亜ディーケーケー（株）製）により測定される値を示す。
【００４５】
本発明の液体洗浄剤は、常法に基づいて製造することができ、たとえば上記各成分を混合することにより製造できる。
本発明の液体洗浄剤は、衣料用液体洗浄剤の通常の使用方法と同様の方法で用いることができる。すなわち、液体洗浄剤を、洗濯時に洗濯物と一緒に水に投入する方法、液体洗浄剤を泥汚れや皮脂汚れ等の汚れ部位に直接塗布する方法、液体洗浄剤を予め水に溶かして衣類を浸漬する方法等が挙げられる。また、液体洗浄剤を洗濯物に塗布し、又は、液体洗浄剤の希釈液中に被洗物を浸漬して適宜放置した後、洗濯機により洗濯する方法等も挙げられる。
【００４６】
以上説明した本発明の液体洗浄剤を用いて洗濯等を行うことにより、被洗物が乾きやすくなる。
かかる液体洗浄剤は、前記の（Ａ）成分と（Ｂ）成分とを含有する。
（Ａ）成分は、少ない使用量（低濃度）でも高い洗浄効果を発揮する。加えて、他の非イオン界面活性剤（汎用のアルコールエトキシレート等）に比べて、被洗物に吸着しにくいという特性を有する。
本発明においては、（Ａ）成分と（Ｂ）成分とを組み合わせることにより、被洗物に（Ａ）成分が吸着しにくいことで、（Ｂ）成分が優先的に吸着しやすくなる。このため、（Ｂ）成分の吸着により柔軟性が高まることに加えて洗濯脱水後の含水率がより低減しやすくなって、被洗物が乾きやすくなる速乾性付与という特異な効果も発現すると推測される。
このような本発明の効果は、特にアクリル繊維やポリエステル繊維等の化学繊維を含む被洗物に対して顕著である。
上記のように、本発明の液体洗浄剤は、洗浄性能及び速乾性能のいずれにも優れる。また、高い柔軟性付与効果も奏する。加えて、本発明の液体洗浄剤は、液外観（流動性、透明均一性）も良好である。
さらに、本発明の液体洗浄剤は、被洗物が乾きやすくなることから、部屋干しを行う場合の洗濯等に用いる洗浄剤として好適である。加えて、洗濯機の脱水操作を好まない、おしゃれ着洗い用の洗浄剤としても好適である。
【実施例】
【００４７】
以下に実施例を用いて本発明をさらに詳しく説明するが、本発明はこれら実施例に限定されるものではない。本実施例において「％」は、特に断りがない限り「質量％」を示す。各例の液体洗浄剤の組成を表１、２に示した。
表中、各配合成分の含有量の単位は「質量％」であって純分換算量を示す。表中、空欄の配合成分がある場合、その配合成分は配合されていない。
また、表中、「（Ａ）成分／（Ｂ）成分」は、液体洗浄剤中の（Ｂ）成分の含有量に対する、（Ａ）成分の含有量の割合（質量比）を意味する。
本実施例において使用した原料は下記の通りである。
なお、実施例１０〜１９は参考例である。
【００４８】
［（Ａ）成分］
ａ−１：ポリオキシエチレン（２０）ヘキサデシルアミン（上記一般式（ａ１）中のＲ１＝炭素数１６のアルキル基、オキシエチレン基の平均繰返し数２０、ｐ＋ｑ＝２０に相当）合成品。なお、a−１は、以下のようにして合成した。
ａ−１の合成：
脂肪酸アミン（東京化成工業社製、ｎ−ヘキサデシルアミン）をオートクレーブ（耐圧硝子工業社製）に仕込み、系内を窒素で置換した後、１５０℃に加熱し、エチレンオキシドを所定量に達するまで少量ずつ添加して、エチレンオキシド（ＥＯ）の平均付加モル数が２モルの３級アミンを合成した（一段階目）。
次に、得られた３級アミンと、アルカリ触媒（ＮａＯＨ；該３級アミン１００質量部に対して０．８質量部、４０質量％ＮａＯＨ水溶液を使用）とをオートクレーブに仕込み、系内を窒素で置換し、加温減圧による脱水を行った後、１５０℃に加熱し、エチレンオキシドを所定量に達するまで少量ずつ添加して、ＥＯの平均付加モル数が２０モルのａ−１を得た（二段階目）。
反応後は、生成物を酢酸により中和処理した。また、アミン価測定により、分子量を算出したところ、１１２１であった。
【００４９】
ａ−２：ポリオキシエチレン（３０）ヘキサデシルアミン（上記一般式（ａ１）中のＲ１＝炭素数１６のアルキル基、オキシエチレン基の平均繰返し数３０、ｐ＋ｑ＝３０に相当）合成品。ａ−１と同様にして合成し、ａ−２を得た。
【００５０】
ａ−３：ポリオキシエチレン（１２）ヘキサデシルアミン（上記一般式（ａ１）中のＲ１＝炭素数１６のアルキル基、オキシエチレン基の平均繰返し数１２、ｐ＋ｑ＝１２に相当）合成品。ａ−１と同様にして合成し、ａ−３を得た。
【００５１】
ａ−４：ポリオキシエチレン（４２）ヘキサデシルアミン（上記一般式（ａ１）中のＲ１＝炭素数１６のアルキル基、オキシエチレン基の平均繰返し数４２、ｐ＋ｑ＝４２に相当）合成品。ａ−１と同様にして合成し、ａ−４を得た。
【００５２】
ａ−５：ポリオキシエチレン（２８）ポリオキシプロピレン（８）アルキルアミン（上記一般式（ａ１）中のＲ１＝炭素数１２のアルキル基である化合物と、Ｒ１＝炭素数１４のアルキル基である化合物とが質量比７：３で混在したもの；オキシエチレン基の平均繰返し数２８、オキシプロピレン基の平均繰返し数８、ｐ＋ｑ＝３６に相当）合成品。
対応する脂肪酸アミンを用い、所定量のＥＯ及びプロピレンオキシド（ＰＯ）を付加させた以外は、ａ−１と同様にして合成し、ａ−５を得た。
【００５３】
［（Ａ）成分の比較成分：（Ａ’）成分］
ａ’−１：ポリオキシエチレン（５）ヘキサデシルアミン（上記一般式（ａ１）中のＲ１＝炭素数１６のアルキル基、オキシエチレン基の平均繰返し数５、ｐ＋ｑ＝５に相当）合成品。ａ−１と同様にして合成し、ａ’−１を得た。
【００５４】
ａ’−２：ポリオキシエチレン（６５）ヘキサデシルアミン（上記一般式（ａ１）中のＲ１＝炭素数１６のアルキル基、オキシエチレン基の平均繰返し数６５、ｐ＋ｑ＝６５に相当）合成品。ａ−１と同様にして合成し、ａ’−２を得た。
【００５５】
［（Ｂ）成分］
ｂ−１：ポリエーテル変性シリコーン、上記一般式（ｂ１）中のｓ＝２１０、ｔ＝９、Ｒ２＝Ｃ３Ｈ６、Ｙ＝−（ＯＣ２Ｈ４）１０−、Ｒ３＝ＣＨ３であるシリコーン（合成品）を用いた。なお、ｂ−１は以下のようにして合成した。
ｂ−１の合成：
撹拌装置、凝縮機、温度計及び窒素挿入口を備えた１Ｌの４つ口フラスコに、下記化学式（ｂ１−０１）で表されるオルガノハイドロジェンポリシロキサン（α＝２１０、β＝９）１００ｇと、イソプロピルアルコール５０ｇと、下記化学式（ｂ１−０２）で表されるポリオキシエチレン化合物（γ＝１０、Ｚ＝ＣＨ３）２９ｇと、付加反応用白金系触媒０．２ｇと、２質量％酢酸ナトリウムのイソプロピルアルコール溶液０．３ｇとを投入し、これらを窒素雰囲気下、９０℃で３時間反応させた。反応終了後、溶媒を減圧留去することによりｂ−１を得た。
【００５６】
【化３】
0005982170.tif 000004
【００５７】
ｂ−２：アミノ変性シリコーン、東レ・ダウコーニング（株）製の商品名「ＳＺ８４１７」。
ｂ−３：ポリエーテル変性シリコーン、東レ・ダウコーニング（株）製の商品名「ＳＨ３７７５Ｍ」。
【００５８】
［その他の成分］
ノニオンａ：アルコールエトキシレート、日本エマルジョン（株）製の商品名「ＥＭＡＬＥＸ７１５」。
ノニオンｂ：アルコールエトキシレート、ＢＡＳＦ社製の商品名「Ｌｕｔｅｎｚｏｌ  ＴＯ７」。
【００５９】
各例の液体洗浄剤の共通成分には以下に示す原料を用いた。
エタノール：日本アルコール販売（株）製の商品名「特定アルコール９５度合成」。
安息香酸ナトリウム：東亜合成製の商品名「安息香酸ナトリウム」。
パラトルエンスルホン酸：協和発酵工業（株）製の商品名「ＰＴＳ酸」。
水酸化ナトリウム：鶴見曹達（株）製、ｐＨ調整剤。
硫酸：東邦亜鉛（株）製、ｐＨ調整剤。
水：精製水。
【００６０】
共通成分の組成：
各配合成分の含有量（質量％）は液体洗浄剤中の割合を示す。
エタノール  ７．０質量％、安息香酸ナトリウム  ０．５質量％、パラトルエンスルホン酸  ２．０質量％、ｐＨ調整剤（水酸化ナトリウム又は硫酸）、水  バランス（液体洗浄剤全体の量を１００質量部とするのに必要な量）。
各例の液体洗浄剤のｐＨ（２５℃）はいずれも、ｐＨ調整剤を添加してｐＨ７．０となるように調整した。
【００６１】
＜液体洗浄剤の調製＞
表１、２に示す組成（配合成分、含有量）に従い、各例の液体洗浄剤を下記の手順で調製した。
１Ｌビーカーに、（Ａ）成分と、エタノールと、ノニオンａ及び／又はノニオンｂと（実施例８、９、１６、比較例３、６の場合）を入れ、マグネットスターラー（ＭＩＴＡＭＵＲＡ  ＫＯＧＹＯ  ＩＮＣ．製）で充分に撹拌した。続いて、共通成分と（Ｂ）成分とを添加した後、全体量（１００質量部とする）が９８質量部となるように水を入れ、さらによく撹拌した。次いで、２５℃でのｐＨが７．０になるようにｐＨ調整剤を適量添加した。その後、全体量が１００質量部になるように水を入れて液体洗浄剤を調製した。
【００６２】
＜速乾性能の評価＞
評価布として、市販品シャツ（株式会社ユニクロ製のヒートテック。衣類表示組成：アクリル４０％、ポリエステル３３％、レーヨン２１％、ポリウレタン６％）を用いた。
（１）評価布の前処理
全自動洗濯機（株式会社東芝製の製品名ＡＷ−８０ＶＣ）に、６０℃の水道水３４Ｌを入れた。そこに、衣料用洗剤（ライオン株式会社製の商品名ブルーダイヤ）３０ｇを添加し、続けて前記市販品シャツを入れた。次いで、前記全自動洗濯機の標準コースにより、洗浄１５分間、すすぎ３回、脱水７分間を順次行う洗浄操作を２回繰り返して行った。次に、衣料用洗剤を入れずに、上記と同様の洗浄操作を３回繰り返して行った。その後、自然乾燥させ、評価布として用いた。
（２）速乾性試験
全自動洗濯機（株式会社東芝製の製品名ＡＷ−８０ＶＣ）に、６０℃の水道水３４Ｌを入れた。そこに、前記評価布３枚と、Ｔシャツ（綿１００％）及び綿タオル（綿１００％）とを投入した（Ｔシャツ及び綿タオルの投入量を、評価布３枚とＴシャツと綿タオルとの全質量が１．７ｋｇとなるように調整した）。
そこに、各例の液体洗浄剤２５ｇを添加し、前記全自動洗濯機の標準コースにより、洗浄１０分間、すすぎ２回、脱水３分間を順次行う洗浄操作１回を行った。
そして、最後の脱水後の評価布の質量を測定し、これを初期質量とした。
次いで、該評価布を、温度２５℃、相対湿度６０％の恒温室（ＥＳＰＥＣ  ＣＯＲＰ製のＭＯＤＥＬ：ＴＢＲ−２ＨＡＯＰＸ）内で乾燥させた。このとき、該評価布の含水率を経時で追い、乾燥１時間後の含水率を測定した。
（３）速乾性能の評価
含水率（％）を下式に基づいて算出した。
含水率（％）＝（評価布の初期質量（ｇ）−乾燥１時間後の評価布の質量（ｇ））／評価布の初期質量（ｇ）×１００
速乾性能の評価は、上式により算出される含水率（％）を用い、下記基準で○、◎であれば速乾性能が良好であると判断した。なお、含水率（％）は、評価布３枚の平均値を用いた。
◎：乾燥１時間後の含水率が１．５％未満。
○：乾燥１時間後の含水率が１．５％以上３．０％未満。
△：乾燥１時間後の含水率が３．０％以上５．０％未満。
×：乾燥１時間後の含水率が５．０％以上。
【００６３】
＜洗浄性能の評価＞
浴比２０倍になるように、被洗物と洗濯液を準備した。
被洗物には、５ｃｍ角の人工汚垢布（洗濯科学協会製）１０枚と、洗浄メリヤス布とを用いた。
洗濯液は、水温１５℃の水９００ｍＬに対して液体洗浄剤３００μｇを加え、３０秒間撹拌して調製した。
そして、Ｔｅｒｇ−Ｏ−Ｔｏｍｅｔｅｒ（ＵＮＩＴＥＤ  ＳＴＡＴＥＳ  ＴＥＳＴＩＮＧ社製）により、１２０ｒｐｍで１０分間の洗浄操作を行った。
該洗浄操作の後、被洗物を、二槽式洗濯機（三菱電機（株）製、品番：ＣＷ−Ｃ３０Ａ１−Ｈ１）に移し、すすぎ３分間、脱水１分間を行い、風乾した。
その後、未汚垢布、人工汚垢布、該風乾後の人工汚垢布（以下「洗浄布」という）の反射率について、色差計分光式色差計（日本電色工業社製の製品名「ＳＥ２０００」）にて測定し、洗浄率（％）を下式に基づいて算出した。
洗浄率（％）＝（人工汚垢布のＫ／Ｓ−洗浄布のＫ／Ｓ）／（人工汚垢布のＫ／Ｓ−未汚垢布のＫ／Ｓ）×１００
式中、Ｋ／Ｓは、（１−Ｒ／１００）２／（２Ｒ／１００）である（ただし、Ｒは未汚垢布、人工汚垢布、洗浄布の反射率（％）をそれぞれ示す）。
洗浄性能の評価は、上式により算出される洗浄率（％）を用い、下記基準で△、○、◎であれば洗浄力が良好であると判断した。なお、洗浄率（％）は、人工汚垢布１０枚の平均値を用いた。
◎：洗浄率が７０％以上、○：洗浄率が６５％以上７０％未満、△：洗浄率が６０％以上６５％未満、×：洗浄率が６０％未満。
【００６４】
＜柔軟性能の評価＞
市販品シャツ（株式会社ユニクロ製のヒートテック。衣類表示組成：アクリル４０％、ポリエステル３３％、レーヨン２１％、ポリウレタン６％）２枚を、
全自動洗濯機（株式会社東芝製の製品名ＡＷ−８０ＶＣ）に投入した。
次いで、水道水３０Ｌと、液体洗浄剤２５ｍＬとを添加し、前記全自動洗濯機の標準コースにより、洗浄１０分間、脱水７分間、ためすすぎ５分間、脱水１分間を順次行う洗浄操作を行った。なお、水道水の温度を２５℃になるように設定した。
その後、最後の脱水後の市販品シャツを前記全自動洗濯機から取り出し、室内吊り干しにより、２４時間自然乾燥した布を評価布とした。
別途、非イオン界面活性剤（ラウリルアルコール１モル当たり平均１５モルのエチレンオキシドを付加させたアルコールエトキシレート）の２０質量％水溶液を用い、該２０質量％水溶液を前記液体洗浄剤の代わりに用いた以外は、上述した洗浄操作及び自然乾燥を施した前記市販品シャツ（ヒートテック）を対照布として用いた。
【００６５】
前記評価布の柔軟性について、官能により、該評価布と前記対照布との１対比較を、専門パネラー５人により下記評価基準で行い、該５人の平均評価点を求めた。
５点：評価布の方が、対照布より非常に柔らかい。
４点：評価布の方が、対照布よりかなり柔らかい。
３点：評価布の方が、対照布よりやや柔らかい。
２点：評価布と対照布とは同程度に柔らかい（硬い）。
１点：評価布の方が、対照布より硬い。
柔軟性能の評価は、該５人の平均評価点を用い、下記基準で△、○、◎であれば、良好な柔軟性能を有すると判断した。
◎：平均評価点が４点以上、○：平均評価点が３．５点以上４点未満、△：平均評価点が３点以上３．５点未満、×：平均評価点が３点未満。
【００６６】
【表１】
0005982170.tif 000005
【００６７】
【表２】
0005982170.tif 000006
【００６８】
表に示す結果から、本発明を適用した実施例１〜１９の液体洗浄剤は、洗浄性能を維持しつつ速乾性能に優れていることが確認できた。